Podtech/llm-jp-corpus-v4-ja_patent huggingface dataset:
(57)【特許請求の範囲】
【請求項１】
照明具を備えたスプレー容器であって、
前記照明具は、光源と該光源の電源と該光源から射出された光を拡散する拡散レンズとスイッチと該光源から射出された光の拡散率を適宜設定可能とするズーム機能とを有し、
前記拡散レンズは、前記光源の光の１／２照度角を、２０度以上とするものであり、
前記光源の光のピーク波長は、３５０ｎｍ〜４２０ｎｍの範囲にあり、
前記光源は、発光ダイオードである、スプレー容器。
【発明の詳細な説明】
【技術分野】
【０００１】
本発明はスプレー容器に関し、特に照明具を備えたスプレー容器に関する。
【背景技術】
【０００２】
従来、夜間や物陰による暗闇でおスプレー使用時に用いるスプレー照明具がある（例えば、特許文献１）。
【先行技術文献】
【特許文献】
【０００３】
【特許文献１】特開２００５−１７４８９２号公報
【発明の概要】
【発明が解決しようとする課題】
【０００４】
しかし、特許文献１に示すスプレー照明具では、暗闇におけるスプレー使用時の作業性を向上させることが発明の課題であるが、特許文献１に示すスプレー照明具を用いても、可視光線では見ることができない雑菌等の汚れを見つけ出し、効率的にスプレー容器に収納された薬剤等を吹きつけるということができない。
【０００５】
本発明は、このようなことに鑑みてなされたものであり、本発明の目的は、可視光線では見ることができない雑菌等の汚れを見つけ出し、この汚れに効率的にスプレーに収納された薬剤等を吹きつけることができるスプレー容器を提供することである。
【課題を解決するための手段】
【０００６】
上記目的は、
照明具（２）を備えたスプレー容器（１）であって、
前記照明具（２）は、光源と該光源の電源と該光源から射出された光を拡散する拡散レンズとスイッチを有し、
前記光源の光のピーク波長は、４３０ｎｍ以下である、スプレー容器（１）
によって達成できる。
【０００７】
また、上記目的は、
前記光源は、発光ダイオードで構成され、光のピーク波長が３５０ｎｍ〜４２０ｎｍの範囲にある、上記のスプレー容器（１）
によって達成できる。
【発明の効果】
【０００８】
本発明によれば、可視光線では見ることができない雑菌等の汚れを見つけ出し、この汚れに効率的にスプレーに収納された薬剤等を吹きつけることができるスプレー容器を提供することができる。
【図面の簡単な説明】
【０００９】
【図１】本発明の実施の形態によるスプレー容器１の正面図である。
【図２】本発明の実施の形態によるスプレー容器１の右側面図である。
【発明を実施するための形態】
【００１０】
本発明の実施の形態によるスプレー容器１について、図１及び図２を用いて説明する。なお、以下の全ての図面においては、理解を容易にするため、各構成要素の寸法や比率などは適宜異ならせて図示する場合がある。
【００１１】
図１は、スプレー容器１の正面図である。図２は、スプレー容器１の右側面図である。図１、図２に示すように、本実施の形態によるスプレー容器１は、照明具２とスプレー容器本体３を有し、スプレー容器本体３の上端に照明具２を設ける構成である。なお、照明具２は、スプレー容器本体３の上端以外の場所に設ける構成であってもよい。
【００１２】
照明具２は、光源と光源の電源と光源から射出された光を拡散する拡散レンズと光源に供給する電力のオン／オフを行うスイッチとを有する構成である。
【００１３】
＜光源＞
スプレー容器１の照明具２には、光のピーク波長が４３０ｎｍより短い光源が用いられるが、コストや効果を考慮すると、光のピーク波長が１００ｎｍ〜４３０ｎｍの範囲の紫外光を発光する光源が好ましく、さらに、３５０ｎｍ〜４２０ｎｍの範囲にあるＵＶの発光ダイオードが好ましい。これらの波長領域の光をあてることで、蛍光物質を含有する雑菌を視認が可能になる。なお、照明具２の光源には、白熱電球、水銀灯、蛍光灯等を用いる場合があってもよい。
【００１４】
＜電源＞
スプレー容器１の照明具２の電源には、ボタン電池や乾電池等が用いられるが、外部電源から電力が供給される電源を用いてもよい。また、磁石とコイルを設けてスプレー容器本体３のトリガーに連動させて動かせることで起電力を発生させてもよい。
【００１５】
＜拡散レンズ＞
スプレー容器１の照明具２の拡散レンズは、ガラス性の拡散レンズが用いられる。拡散レンズは、光源の光の１／２照度角を、２０度〜６０度とする拡散率を有するが、３０〜４５度であってもよいし、４５度〜６０度の範囲であってもよいし、６０度以上となってもよい。、また、拡散レンズの拡散率は、光源の波長、光量と使用用途にあわせて設定するのが好ましい。なお、スプレー容器１の照明具２にはズーム機能を搭載する場合があってもよい。ズーム機能を設けることで、広範囲の照射と狭範囲での照射を使用用途や場合によって適宜設定できるため、好適である。なお、拡散レンズは、ガラス性以外の材質、例えば、ポリカーボネイト、ポリエステル、アクリル等を用いてもよい。
【００１６】
＜スイッチ＞
スプレー容器１の照明具２のスイッチは、機械式のスイッチが用いられるが、電気式のスイッチを用いてもよい。例えば、スプレー容器本体３のトリガーの指をあてる部分に静電容量スイッチ（タッチセンサ）を設けてもよい。
【００１７】
スプレー容器１のスプレー容器本体３には、照明具２を取付自在とするための取付部を設ける構成である。なお、両面テープや磁石等を用いて簡易的に照明具２を接着させる方式を用いてもよい。
【００１８】
本実施の形態のスプレー容器１の使い方を説明する。スプレー容器１の照明具２から紫外光が射出される。この紫外光によって、雑菌、カビ等の汚れを光らせて視認するため、スプレー容器１は、薄暗い環境において使用することになる。スプレー容器１の照明具２によって、雑菌やカビ等を視認し、スプレー容器本体３を用いて、薬剤等を射出する。このように、本実施の形態のスプレー容器１を用いることで、手軽に雑菌やカビ等を効率的に除去することが可能となる。
【００１９】
本発明は、上述の実施の形態に限らず種々の変形が可能である。また、上述の各実施の形態は、本発明の好適な一例であるので、技術的に好ましい種々の限定が付されているが、本発明の範囲は、上述の説明によって不当に限定されるものではない。また、上述の各実施の形態で説明される構成の全てが本発明の必須の構成要件ではない
【産業上の利用可能性】
【００２０】
本発明は、殺菌や除菌を目的としたスプレー容器のみならず、傷口の雑菌等を確認して薬剤を吹き付ける人体用（医療用）のスプレー容器において広く利用可能である。また、本発明は、トリガー式のみならず、ボタン式やあらゆる構造のスプレー容器に適用可能である。
【符号の説明】
【００２１】
１  スプレー容器
２  照明具
３  スプレー容器本体
【図１】
0006924462.tif 000002
【図２】
0006924462.tif 000003